(57)【要約】【課題】  天井にレールを設置して、レールに沿って吊り下げ位置を変更容易とすると共に、手を伸ばす必要もなく、下からの操作により簡単にレールから着脱可能とする吊り下げ装置を提供することである。【解決手段】  天井レール２と該天井レールに吊り下げ自在な吊り下げ具３からなる吊り下げ装置１とし、前記天井レールを、断面台形状で、中空状空洞部１１および前記空洞部から下面に開いた開口路１２を有する形状とし、前記吊り下げ具を、天井レール外枠に嵌合するベース基部４と、該ベース基部の中央筒部１４に設ける連通孔を摺動自在に貫通するシャフト５とから構成して、シャフトの上端に該シャフトの抜け防止となりストッパとなる矩形ガイド部材８設け、前記シャフト下端の先端に物干し用ハンガーやその他の物品を吊り下げ可能なフック７を備える構成とした。【選択図】図１
2008119425.tif 000002
【特許請求の範囲】
【請求項１】
天井レールと該天井レールにワンタッチで着脱可能な吊り下げ具からなる吊り下げ装置であって、
前記天井レールを、長寸部を上側とし短寸部を下側とする断面台形状で、中空状空洞部および前記空洞部から下面に開いた開口路を有する形状とし、
前記吊り下げ具を、前記開口路を塞ぐように係合して両側の外枠に嵌合するベース基部と、該ベース基部の中央に設けられ前記開口路に連通する連通孔を有する中央筒部の前記連通孔を摺動自在に貫通して、その上端が前記開口路に進入するシャフトを備える構成とし、
前記中央筒部内に配設するスプリング部材を介して前記シャフトを下側に向けて付勢すると共に、前記シャフトの上端部に、前記中央筒部の上面に当接してストッパとなる矩形ガイド部材を装着し、
前記矩形ガイド部材の幅と長さを、前記シャフトの径よりも大きく前記開口路に進入可能な程度の幅と、前記中空状空洞部の幅に相当する長さとして、前記矩形ガイド部材が前記開口路を挿通することと、前記中空状空洞部内に挿通した前記矩形ガイド部材を９０°回転して前記開口部の上面に係止することを可能とし、
前記シャフト下端の先端に物品を吊り下げ可能なフックを備えたことを特徴とする吊り下げ装置。
【請求項２】
前記連通孔の上端部に前記シャフトが挿通可能な程度の大きさの四角孔を設け、前記シャフトと前記矩形ガイド部材の接合部に前記四角孔に係合する四角形部を設けて、前記スプリング部材の付勢力に抗して前記シャフトを持ち上げると、前記四角形部が前記四角孔から離脱して前記シャフトが回転自在となる構成とすると共に、前記矩形ガイド部材の四隅の角を前記中空状空洞部の幅に相当する円弧状に面取りしたことを特徴とする請求項１に記載の吊り下げ装置。
【請求項３】
前記矩形ガイド部材の幅を、前記円弧状の面取り部の間に直線部が残る程度の幅としたことを特徴とする請求項１または２に記載の吊り下げ装置。
【請求項４】
前記シャフトを上下二本に分割して、上端に前記矩形ガイド部材を備える上部シャフトと前記フックを備える下部シャフトとし、それらのシャフトを、ロック機能を有する連結手段を介して、スパイラルで伸縮自在に連結したことを特徴とする請求項１から３のいずれかに記載の吊り下げ装置。
【請求項５】
前記フックを環状の一部を切り欠いて切り欠き部を有する割り型とし、前記切り欠き部の間隔を広げるように弾性変形して前記フックを装着すると共に、所定の吊り下げ荷重を超える荷重が負荷されると前記切り欠き部の間隔が広がってフックが離脱するフック装着部を前記下部シャフトの下端部に設けたことを特徴とする請求項４に記載の吊り下げ装置。
【発明の詳細な説明】
【技術分野】
【０００１】  本発明は、室内の天井に設置する天井レールに沿って任意の位置に吊り下げ可能となる吊り下げ装置に関するものである。
【背景技術】
【０００２】  室内で、衣類を掛けたり物品を吊り下げる際には、ハンガーを用いたり、室内にロープを架け渡してりしている。また、室内で洗濯物を干す際には、支柱の上端部に回転軸を回転可能に装着し、複数の吊り下げ具を放射状に突設した物干し器が用いられている。【０００３】  しかし、衣類を掛けたり、物品を吊り下げる位置は、ハンガーフックを備えた場所やロープの架け渡された場所に限られると共に、吊り下げる位置や高さを変えることは容易ではない。さらに室内に物干し器を設置すると邪魔になってしようがない。【０００４】  そのために、レールに沿った任意の位置にセットできる吊り下げ具を備える物品吊り下げ装置が既に出願されている（例えば、特許文献１参照）。
【特許文献１】  特開２０００−４１８２７号公報（第１−６頁、第３図）
【発明の開示】
【発明が解決しようとする課題】
【０００５】  しかし、レールに沿って吊り下げ位置を変更可能とした物品吊り下げ装置としても、締付け部材を弛めたり締めたりする操作が必要であれば、レール部まで手を伸ばして操作する必要が生じ、容易ではない。【０００６】  また、レールを天井に設置した場合でも、いちいちレール部まで手を伸ばさずに、ワンタッチで着脱可能な吊り下げ装置であることが好ましい。さらには、室内で使用する物品吊り下げ装置としては、できるだけ邪魔にならず、幼児や子供がぶら下がろうとしても、問題を生じないことが肝要である。【０００７】  本発明の目的は、上記問題を解決するために、天井にレールを設置して、レールに沿って吊り下げ位置を変更容易とすると共に、手を伸ばす必要もなく、下からの操作により簡単にレールから着脱可能とする吊り下げ装置を提供することである。
【課題を解決するための手段】
【０００８】  上記の目的を達成するために請求項１に係る発明は、天井レールと該天井レールに吊り下げ自在な吊り下げ具からなる吊り下げ装置であって、前記天井レールを、長寸部を上側とし短寸部を下側とする断面台形状で、中空状空洞部および前記空洞部から下面に開いた開口路を有する形状とし、前記吊り下げ具を、前記開口路を塞ぐように係合して両側の外枠に嵌合するベース基部と、該ベース基部の中央に設けられ前記開口路に連通する連通孔を有する中央筒部の前記連通孔を摺動自在に貫通して、その上端が前記開口路に進入するシャフトを備える構成とし、前記中央筒部内に配設するスプリング部材を介して前記シャフトを下側に向けて付勢すると共に、前記シャフトの上端部に、前記中央筒部の上面に当接してストッパとなる矩形ガイド部材を装着し、前記矩形ガイド部材の幅と長さを、前記シャフトの径よりも大きく前記開口路に進入可能な程度の幅と、前記中空状空洞部の幅に相当する長さとして、前記矩形ガイド部材が前記開口路を挿通することと、前記中空状空洞部内に挿通した前記矩形ガイド部材を９０°回転して前記開口部の上面に係止することを可能とし、前記シャフト下端の先端に物干し用ハンガーを吊り下げ可能なフックを備えたことを特徴としている。【０００９】  上記の構成を有する請求項１に係る発明によれば、室内に設ける天井レールの任意の位置に吊り下げ具を装着可能な室内用吊り下げ装置となる。また、吊り下げ具の移動や着脱を下から操作可能となり、室内で使用する際に邪魔とはならない。【００１０】  請求項２に係る発明は、前記連通孔の上端部に前記シャフトの径よりも大きな四角孔を設け、前記シャフトと前記矩形ガイド部材の接合部に前記四角孔に係合する四角形部を設けて、前記スプリング部材の付勢力に抗して前記シャフトを持ち上げると、前記四角形部が前記四角孔から離脱して前記シャフトが回転自在となる構成とすると共に、前記矩形ガイド部材の四隅の角を前記中空状空洞部の幅に相当する円弧状に面取りしたことを特徴としている。【００１１】  上記の構成を有する請求項２に係る発明によれば、シャフトを持ち上げると、左右いずれの方向にも回転自在となるが、シャフトを持ち上げることをやめると、スプリング部材の付勢力によって、ベース基部に設ける四角孔にシャフトに設けられる四角形部が嵌まり込む位置、つまり、正しく９０°回転した位置で固定される構成となる。【００１２】  請求項３に係る発明は、前記矩形ガイド部材の幅を、前記円弧状の面取り部の間に直線部が残る程度の幅としたことを特徴としている。【００１３】  上記の構成を有する請求項３に係る発明によれば、矩形ガイド部材を天井レールの開口路に挿入した後、当初はいずれの方向にも回転可能となる。また挿入した後で９０°回転すると面取り部間に残された直線部が中空状空洞部の壁に当接してストップされ、それ以上回転しない構成となる。【００１４】  請求項４に係る発明は、前記シャフトを上下二本に分割して、上端に前記矩形ガイド部材を備える上部シャフトと前記フックを備える下部シャフトとし、それらのシャフトを、ロック機能を有する連結手段を介して伸縮自在に連結したことを特徴としている。【００１５】  上記の構成を有す��請求項４に係る発明によれば、シャフト長さを簡単に変更することができ、所望の位置に、また、所望の高さに物品を吊り下げることができる。また、シャフトを短縮した状態、および取り外しておけば、下の空間を利用可能となって邪魔にならない。【００１６】  請求項５に係る発明は、前記フックを環状の一部を切り欠いて切り欠き部を有する割り型とし、前記切り欠き部の間隔を広げるように弾性変形して前記フックを装着すると共に、所定の吊り下げ荷重を超える荷重が負荷されると前記切り欠き部の間隔が広がってフックが離脱するフック装着部を前記下部シャフトの下端部に設けたことを特徴としている。【００１７】  上記の構成を有する請求項５に係る発明によれば、フックの弾性を考慮することでフックが離脱する荷重を容易に変更可能となり、天井から吊り下げて使用する際に、所定以上の荷重が負荷されるとフックが離脱するので、幼児や子供にとっても安全となる。
【発明の効果】
【００１８】  上記したように本発明によれば、室内の任意の位置に物品を吊り下げ可能となる。また、着脱も容易であり、室内で使用しても邪魔にならない。さらには、所定以上の吊り下げ荷重が負荷されると、フックが離脱する構成としたので、幼児や子供にとっても安全な吊り下げ装置を得ることができる。
【発明を実施するための最良の形態】
【００１９】  以下、本発明に係る吊り下げ装置の実施の形態について図面を用いて詳細に説明する。【００２０】  図１に示す吊り下げ装置１は、天井に設置される天井レール２と吊り下げ具３を備えている。前記吊り下げ具３は、天井レール２の外枠に嵌合するベース基部４と、シャフト５と、物干し用ハンガー等の物品を吊り下げ可能なフック７を備えている。【００２１】  また、天井レール２は図２に示すように、長寸部を上側とし短寸部を下側とする断面台形状の長尺なレール本体１０に、中空状空洞部１１と下面に開いた開口路１２を有する型材としている。前記ベース基部４は、断面台形状の前記天井レール２の外枠に嵌合するベース本体４１と、該ベース本体４１の中央に設けられる中央筒部４２を備えている。前記中央筒部４２は、前記開口路１２を塞ぐ位置に設けられており、前記開口路１２に連通する連通孔を備えている。【００２２】  前記連通孔を挿通し中央筒部４２を貫通するように装着されるシャフト５は、前記中央筒部４２内に配設するスプリング部材ＳＰを介して下側に向けて付勢される段部を備える構成とされている。また、前記シャフト５の上端部に矩形ガイド部材８を固着して、シャフト５がベース基部４の前記中央筒部４２から抜けない構成としている。つまり、前記矩形ガイド部材８はスプリング部材ＳＰと協働して、シャフト５をベース基部４に固着するストッパとなる。【００２３】  前記矩形ガイド部材８の幅と長さは、前記シャフト５の径よりも大きく前記開口路１２に進入可能な程度の幅と、前記中空状空洞部１１の幅に相当する長さとしている。そのために、前記矩形ガイド部材８が前記開口路１２を挿通することと、前記中空状空洞部１１内に挿通した前記矩形ガイド部材８を９０°回転して前記開口路１２の上面に係止することが可能となる。【００２４】  シャフト５はその中ほどに把持部９を備えており、この把持部９を握ってシャフト５の持ち上げと、回転を行うことができる。シャフト５は、スプリング部材ＳＰにより下向きに付勢されているので、一旦持ち上げたシャフト５を回転して、前記矩形ガイド部材８を開口路１２の両側に掛け渡すような配置８Ａとすると、前記矩形ガイド部材８が開口路１２の上面の両側に圧接して位置固定される。【００２５】  上記のような構成としているので、シャフト５を、前記スプリング部材ＳＰの付勢力に抗して持ち上げると、矩形ガイド部材８が開口路１２の上面から離反してフリーとなり回転自在となる。そのために、シャフト５を少し持ち上げた状態で９０°回転すると、矩形ガイド部材８が、開口路１２の長手方向に揃う配置８Ｂとなって、開口路１２に沿ってそのまま摺動させて移動することも、開口路１２から前記矩形ガイド部材８を引き出すこともできる。つまり、吊り下げ具３を天井レール２の任意の位置に移動することも、天井レール２から引き離すこともできる。【００２６】  吊り下げ具３を天井レール２に取り付ける際には、シャフト５を持ってベース基部４を天井レール２のレール本体１０の外枠に嵌合して押し付けるようにし、さらにシャフト５を押し上げる。そうすると、シャフト５の上部に装着されている矩形ガイド部材８が開口路１２を挿通して中空状空洞部１１内に進入する。こ���状態で、シャフト５を９０°回転すると、矩形ガイド部材８が開口路１２とクロスする配置８Ａとなり、開口路１２から抜けない位置となる。【００２７】  このときに、前記連通孔の上端部に前記シャフト５の径よりも大きな四角孔を設け、前記シャフト５と前記矩形ガイド部材８の接合部に前記四角孔に係合する四角形部５１を設ける構成としておけば、正しく９０°回転する毎に、前記シャフト５を位置決め可能となり好適となる。つまり、前記スプリング部材の付勢力に抗して前記シャフトを持ち上げると、前記四角形部が前記四角孔から離脱して前記シャフトが回転自在となり、前記スプリング部材を介してシャフトを固定する際には、細かい角度合わせをせずに正しい位置に固定することができる。【００２８】  また、シャフト５を回転自在としておくには、前記矩形ガイド部材の四隅の角を前記中空状空洞部の幅に相当する幅であっても、その幅部を前記中空状空洞部の幅に相当する円弧状に面取りしておけばよい。【００２９】  図３に示すように、矩形ガイド部材８の幅Ｂ１は開口路１２の開口幅Ｂ２よりも小さく、長さＬ１は中空状空洞部１１の幅Ｂ３程度としている。また、角部Ｒを前記幅Ｂ３に相当する円弧状に面取りして、中空状空洞部１１内を旋回可能としている。この際に、左右の面取り部の間に直線部Ｔが残る程度の幅Ｂ１とすることで、中空状空洞部１１内の旋回角度を９０°に制限することが可能となる。つまり、開口路１２に合わせて挿入した後では円弧状の面取り部のおかげで左右いずれの方向にも旋回可能であるが、９０°まで回転すると、面取り部でない直線部Ｔが中空状空洞部１１の壁面１１Ａに当接してストップし、それ以上の回転が阻止されるからである。【００３０】  つまり、四隅を円弧状に面取りして一部直線部を残した長寸側端部を有する矩形ガイド部材８は、吊り下げ具３を天井レール２に装着する際のストッパになるだけでなく、シャフト５を回転する際のストッパともなる。【００３１】  また、シャフト５下端の先端に物干し用ハンガー等の物品を吊り下げ可能なフック７を備えた構成としているので、天井レール２の任意の位置に吊り下げ具３を設置して、物干し用ハンガーやその他の物品を任意の位置に吊り下げることができる。【００３２】  物品を吊り下げる前記フック７の高さ位置は任意に変更可能であることが望ましい。そのために、前記シャフト５を上下二本に分割して、上端に前記矩形ガイド部材を備える上部シャフト５Ａと前記フック７を備える下部シャフト５Ｂとし、それらのシャフトを、ロック機能を有する連結手段６を介して伸縮自在に連結した構成としている。この構成であれば、シャフト長さを簡単に変更することができると共に、所望の位置や所望の高さに物品を吊り下げることができる。【００３３】  また、所定以上の吊り下げ荷重が負荷されると、吊り下げ部材が簡単にレールから離脱する構成であることが好ましい。このためには、前記連結手段６を着脱容易な構成として所定以上の吊り下げ荷重が負荷されると、前記連結手段６が離脱する構成とすることが可能である。しかし、フック７を、所定以上の吊り下げ荷重が負荷されるとフック装着部から離脱する構成としてもよい。【００３４】  本実施の形態においては、���４に示すように、前記フック７を、その環状の一部を切り欠いて切り欠き部７ａを有する割り型とし、前記切り欠き部７ａの間隔を広げるように弾性変形して装着するフック装着部５２を前記シャフト（下部シャフト５Ｂ）の下端部に設ける構成とした。【００３５】  上記のような構成であれば、フック７に、所定の吊り下げ荷重を超える荷重が負荷されると前記切り欠き部７ａの間隔が広がって、前記フック装着部５２からフック７が離脱する構成となる。そのために、所定の吊り下げ荷重を超える荷重が負荷されると前記切り欠き部の間隔が広がってフックが離脱するフック装着部となって、安全性を高めることができる。【００３６】  上記したような構成であれば、フック７に物干し用ハンガーを吊り下げる際には、その吊り下げる高さ位置を自在に調節可能であり、ハンガーや洗濯物のサイズに応じた適当な高さに設定することができる。また、洗濯物を干さない場合には、前記下部シャフト５Ｂを上に上げておいて、邪魔にならないようにしておくこともでき、及び取り外して収納することもできる。【００３７】  上記したように、本発明に係る吊り下げ装置は、室内の天井レールに沿って任意の位置に容易に設置可能としたので、邪魔にならない位置に吊り下げ装置を移動することができる。また、所定以上の吊り下げ荷重が負荷されると、フックが外れる構成の吊り下げ装置としたので、幼児や子供にとっても安全な室内用の吊り下げ装置を得ることができる。
【図面の簡単な説明】
【００３８】
【図１】  本発明に係る吊り下げ装置の一例を示す正面図である。
【図２】  吊り下げ部の拡大断面図である。
【図３】  矩形ガイド部材の一例を示す平面図である。
【図４】  フックの一例を示す正面図である。
【符号の説明】
【００３９】    １  吊り下げ装置
２  天井レール
３  吊り下げ具
５  シャフト
５Ａ  上部シャフト
５Ｂ  下部シャフト
７  フック
８  矩形ガイド部材
１１  中空状空洞部
１２  開口路
ＳＰ  スプリング部材
【図１】
2008119425.tif 000003
【図２】
2008119425.tif 000004
【図３】
2008119425.tif 000005
【図４】
2008119425.tif 000006